(57)【特許請求の範囲】
【請求項１】
トナー像を形成されたシートが積載される積載手段と、
前記積載手段に積載されたシートを把持して、前記シート搬送方向の下流側に移動し、前記把持を解除してシートを排出する排出手段と、
トナー像に関する画像形成状態情報に基づいて前記排出手段の排出動作を制御する排出制御手段と、を備え、
前記排出制御手段は、画像形成状態情報が、シート同士がトナー像によって接着しにくいという情報のとき、前記積載手段にシートが束状に積載されてから、前記排出手段に該シート束を排出させる動作をさせ、画像形成状態情報が、シート同士がトナー像によって接着しやすいという情報のとき、前記積載手段にシートが１枚積載される度に、前記排出手段に該１枚のシートを排出させる動作をさせる、
ことを特徴とするシート処理装置。
【請求項２】
前記排出制御手段は、トナー像に関する画像形成状態情報に基づいて、前記積載手段にシートが束状に積載されてから、前記排出手段に該シート束を排出させる動作において、１つのジョブのシートの内、所定枚数のシートが前記積載手段に積載されたとき当該所定枚数のシートを排出し、最後、所定枚数未満のシートが前記積載手段に積載されたとき当該の所定枚数未満のシートを排出可能である、
ことを特徴とする請求項１に記載のシート処理装置。
【請求項３】
前記画像形成状態情報は、トナー像がシートの片面と両面とのいずれに形成されているかのトナー像形成面情報であり、
前記排出制御手段は、トナー像がシートの片面に形成されているトナー像形成面情報を得たとき、前記積載手段に片面シートが束状に積載されてから、前記排出手段に該片面シート束の排出動作をさせ、トナー像が両面に形成されているトナー像形成面情報を得たとき、前記積載手段に両面シートが１枚積載される度に、前記排出手段に該１枚の両面シートの排出動作をさせる、
ことを特徴とする請求項１又は２に記載のシート処理装置。
【請求項４】
前記画像形成状態情報は、シートに対するトナー像の印字率が所定の値以下か超えているかの印字率情報であり、
前記排出制御手段は、前記印字率が所定の値以下であるという印字率情報を得たとき、
前記積載手段に該シートが束状に積載されてから、前記排出手段に該シート束の排出動作をさせ、前記印字率が所定の値を超えているという印字率情報を得たとき、前記積載手段に該シートが１枚積載される度に、前記排出手段に該１枚のシートの排出動作をさせる、
ことを特徴とする請求項１又は２に記載のシート処理装置。
【請求項５】
前記画像形成状態情報は、シートの前記排出手段によって把持される被把持部にトナー像が形成されているか否かの被把持部情報であり、
前記排出制御手段は、前記被把持部にトナー像が形成されていないという被把持部情報を得たとき、前記積載手段に該シートが束状に積載されてから、前記排出手段に該シート束の排出動作をさせ、前記被把持部にトナー像が形成されているという被把持部情報を得たとき、前記積載手段に該シートが１枚積載される度に、前記排出手段に該１枚のシートの排出動作をさせる、
ことを特徴とする請求項１又は２に記載のシート処理装置。
【請求項６】
シートに画像を形成する画像形成手段と、
前記画像形成手段によってトナー像を形成されたシートを処理する処理装置と、を備え、
前記処理装置は、請求項１乃至５のいずれか１項に記載のシート処理装置であることを特徴とする画像形成装置。
【請求項７】
前記シート処理装置は、請求項３に記載のシート処理装置であり、
トナー像がシートの片面と両面とのいずれに形成されているかのトナー像形成面情報を前記シート処理装置の制御手段に報せるトナー像形成面判定手段を備えた、
ことを特徴とする請求項６記載の画像形成装置。
【請求項８】
前記シート処理装置は、請求項４に記載のシート処理装置であり、
シートに対するトナー像の印字率が所定の値以下か超えているかの印字率情報を前記シート処理装置の制御手段に報せる印字率判定手段を備えた、
ことを特徴とする請求項６記載の画像形成装置。
【請求項９】
前記シート処理装置は、請求項５に記載のシート処理装置であり、
シートの前記排出手段によって把持される被把持部にトナー像が形成されているか否かの被把持部情報を前記シート処理装置の制御手段に報せる被把持部判定手段を備えた、
ことを特徴とする請求項６記載の画像形成装置。
【発明の詳細な説明】
【技術分野】
【０００１】
本発明は、シートを処理トレイに積載して形成したシート束の縁を揃えるシート処理装置と、シート処理装置を装置本体に接続若しくは内蔵して備えた画像形成装置とに関する。
【背景技術】
【０００２】
画像形成装置は、シートに画像を形成する装置である。画像形成装置には、例えば、複写機、プリンタ、ファクシミリ、及びこれらの複合機等がある。画像形成装置は、シートに画像を形成する装置本体に、シート処理装置が、内蔵されるか、あるいは購入選択肢（いわゆるオプション）として接続されて設けられていることがある。シート処理装置は、シート束の縁を揃える（以下、「整合」という）処理、シート束を綴じるステープル処理、綴じられたシート束を折り曲げる折り曲げ処理等の少なくとも１つの処理を行うようになっている（特許文献１）。
【０００３】
シート束の整合処理をするシート処理装置は、装置本体から送り込まれてきたシートを整合して束状にしてから、把持手段としてのグリッパでシート束を把持して排出するようになっている。一方、画像形成装置の装置本体は、シートにトナー像を形成して、シートを加熱してトナー像をシートに定着し、熱を帯びたシートをシート処理装置に送り込むようになっている。このため、トナー像が固化していない状態で、グリッパがシート束を把持すると、シート同士が付着して排出されることがあった（排紙接着）。
【０００４】
【特許文献１】特開２００７−１５３４６５号公報
【発明の開示】
【発明が解決しようとする課題】
【０００５】
しかし、従来のシート処理装置は、トナー像が固化していない状態で、グリッパがシート束を把持するため、シート同士が付着して排出されることがあり、このようなシート同士を剥がすと、シートが裂けたり、トナー像が欠損したりすることがあった。
【０００６】
また、このようなシート処理装置を備えた画像形成装置は、裂けたシートの枚数分、あるいはトナー像が欠損したシートの枚数分を、再度、画像形成しなければならず、画像形成効率が低かった。
【０００７】
本発明は、トナー像によるシート同士の接着を防止したシート処理装置を提供することにある。
【０００８】
本発明は、トナー像によるシート同士の接着を防止したシート処理装置を備えて、画像形成効率を向上させた画像形成装置を提供することにある。
【課題を解決するための手段】
【０００９】
本発明のシート処理装置は、トナー像を形成されたシートが積載される積載手段と、前記積載手段に積載されたシートを把持して、前記シート搬送方向の下流側に移動し、前記把持を解除してシートを排出する排出手段と、トナー像に関する画像形成状態情報に基づいて前記排出手段の排出動作を制御する排出制御手段と、を備え、前記排出制御手段は、画像形成状態情報が、シート同士がトナー像によって接着しにくいという情報のとき、前記積載手段にシートが束状に積載されてから、前記排出手段に該シート束を排出させる動作をさせ、画像形成状態情報が、シート同士がトナー像によって接着しやすいという情報のとき、前記積載手段にシートが１枚積載される度に、前記排出手段に該１枚のシートを排出させる動作をさせる、ことを特徴としている。
【００１０】
本発明の画像形成装置は、シートに画像を形成する画像形成手段と、前記画像形成手段によってトナー像を形成されたシートを処理する処理装置と、を備え、前記処理装置は、上記に記載のシート処理装置であることを特徴としている。
【発明の効果】
【００１１】
本発明のシート処理装置は、シート同士がトナー像によって接着しやすいシートのとき、そのシートを１枚ずつ排出するようになっているので、シート同士の接着を防止することができる。このため、ユーザがシートを分離するとき、シートが裂けたり、トナー像が欠損したりすることがない。
【００１２】
本発明の画像形成装置は、シート同士の接着を防止するシート処理装置を備えているので、裂けたシートの枚数分、あるいはトナー像が欠損したシートの枚数分を、再度、画像形成する必要がなく、画像形成効率を向上させることができる。
【発明を実施するための最良の形態】
【００１３】
本発明のシート処理装置と、このシート処理装置を装置本体に備えた画像形成装置とを図に基づいて説明する。
【００１４】
（画像形成装置）
図１は、本発明の実施形態における画像形成装置のシート搬送方向に沿った断面図である。画像形成装置１５０は、シートに画像を形成する装置である。画像形成装置１５０には、例えば、複写機、プリンタ、ファクシミリ、及びこれらの複合機等がある。画像形成装置１５０は、シートに画像を形成する装置本体１５０Ａと、画像が形成されたシートを処理するシート処理装置３００とで構成されている。
【００１５】
シート処理装置３００は、画像形成装置の装置本体１５０Ａに購入選択肢（いわゆるオプション）として接続されている。なお、シート処理装置３００は、装置本体１５０Ａに内蔵されていてもよい。シート処理装置３００は、シート束の縁を揃える（以下、「整合」という）処理をするようになっている。
【００１６】
画像形成装置１５０の装置本体１５０Ａは、外部からの情報を画像処理部１４４で受けて画像処理した後、感光ドラム２６４にトナー像を形成して、そのトナー像をシートに転写し、画像を形成されたシートを提供するようになっている。
【００１７】
装置本体１５０Ａは、下部に、シートを収納したシートカセット１５１を図１の右方向に引き出し自在に備えている。シートカセット１５１のシートＳは、ピックアップローラ２６１によってシートカセット１５１から送り出される。シートＳは、搬送ローラ対２６２、レジストローラ対２６３によって、画像形成手段である例えば感光ドラム２６４と転写ローラ２６５との間に送り込まれる。感光ドラム２６４には、予めトナー像が形成されている。このため、感光ドラム２６４のトナー像がシートに転写される。トナー像を転写されたシートＳは、定着器２６６によって加熱され、トナー像を定着されてから、排紙ローラ対１５３によって、シート処理装置３００に送り込まれる。シート処理装置３００が設けられていない場合には、排紙ローラ対１５３から排出されたシートは、トレイ１５４に排出されて積載される。
【００１８】
画像形成装置１５０の装置本体１５０Ａは、両面反転パス１５８を用いて両面に画像を形成するようになっている。上記プロセスを経て画像が形成されたシートは、両面反転切替部材１５５を通過すると、排紙ローラ対１５３の逆転によりスイッチバック搬送されて、両面パスローラ対１５６，１５７に送り込まれる。そして、シートは、レジストローラ対２６３の手前で印字パス１５９に合流し、裏面にトナー像を形成される。
【００１９】
装置本体１５０Ａとシート処理装置３００は、装置本体１５０Ａに設けられた操作パネル１５２をユーザが操作することによって、作動するようになっている。装置本体１５０Ａの制御は、制御部１４０によって行われる。
【００２０】
（シート処理装置）
図２は、本発明の実施形態におけるシート処理装置のシート搬送方向に沿った断面図である。図３は、本発明の実施形態におけるシート処理装置を装置本体１５０Ａのトレイ１５４側から見た図である。
【００２１】
なお、実施形態の説明において、シート搬送方向とは、図１の左右方向（図２、矢印Ｄ，Ｃ方向、矢印Ｘ方向）のことである。シート排出方向とは、図１の左から右への方向（図２、矢印Ｃ方向）を言う。シートの後端とは、シート搬送方向上流側の縁のことであり、上流端と言う場合もある。シートの先端とは、シート搬送方向下流側の縁のことであり、下流端と言う場合もある。シートの側端とは、シート搬送方向に沿った縁のことである。シートの幅方向とは、シート搬送方向に対して直角でシートの表面に沿った方向（図２，矢印Ｅ，Ｆ方向、矢印Ｙ方向）のことである。上下方向とは、図１の上下方向（図２、矢印Ａ，Ｂ方向、矢印Ｚ方向）のことである。なお、各図において、矢印Ｘはシート搬送方向を示している。矢印Ｙはシートの幅方向を示している。矢印Ｚ方向は上下方向を示している。
【００２２】
シート処理装置３００は、装置本体１５０Ａの排出手段である例えば排紙ローラ対１５３から排出されたシートが積載される排出シート積載手段である例えばトレイ１５４に載置されている。
【００２３】
シート処理装置３００は、装置本体１５０Ａからシート受入部２０１で受け入れたシートＳを、処理トレイ２０５上でシートＳの後端と側端とを整合して束状にしてから、装置本体１５０Ａ上のトレイ１５４（図１）に排出するようになっている。処理トレイ２０５は、トナー像を形成されたシートが積載される積載手段の一例である。
【００２４】
図２において、シート受入部２０１は、装置本体１５０Ａの排紙ローラ対１５３（図１）から排出されたシートＳを受け取る部分である。このシート受入部２０１に排出されたシートＳは、搬送パス２６８を通過しながら、入口センサ２０２に検知された後、搬送ローラ対２０３、及び処理ローラ２０４に搬送されて、処理トレイ２０５上で縁を整合されて積載されるようになっている。
【００２５】
シートを処理トレイ２０５に排出する搬送ローラ対２０３は、駆動ローラ２０３ａと、従動ローラ２０３ｂとで構成されている。駆動ローラ２０３ａは、搬送モータ２０６から、不図示の搬送プーリギア、搬送ベルトを介して回転力を得て、回転するようになっている。処理ローラ２０４は、円筒部材で構成されて、外周部がゴム若しくは発泡体等ゴムに近い弾性を持った弾性体で形成されている。処理ローラ２０４は、処理ローラホルダ２１１に保持されている。
【００２６】
処理ローラホルダ２１１には、処理ローラ２０４が設けられている。処理ローラホルダ２１１は、処理ローラホルダ２１１の軸２１２を中心にして、上下方向(矢印Ａ，Ｂ方向)に回動するようになっている。また、処理ローラホルダ２１１は、処理ローラ２０４と共に、シートを一旦下流側へ移動させた後、上流側に移動させてシートＳの後端を後端規制板２４２に突き当てて、後端を整合するようになっている。このため、処理ローラホルダ２１１は、シート搬送方向に往復移動できるようになっている。さらに、処理ローラホルダ２１１は、処理ローラ２０４と共に、シートをシートの幅方向へ移動させてシートの側端を幅方向規制板２４３に突き当てて側端を整合するようになっている。このため、処理ローラホルダ２１１は、シート幅方向(矢印Ｅ，Ｆ方向)に往復移動するようになっている。
【００２７】
処理ローラホルダ２１１の上下方向への回動動作、シートの搬送方向とシートの幅方向とへの移動動作は、ＴＤモータ２１６と、駆動力伝達機構２１７とによって行われるようになっている。駆動力伝達機構２１７は、不図示の整合モータギア、紙押さえカム、後端整合スライダ、側端整合スライダ、整合カム等で構成されている。
【００２８】
処理ローラホルダ２１１、処理ローラ２０４、ＴＤモータ２１６、駆動力伝達機構２１７、及び後端規制板２４２等は、処理トレイ２０５に積載されたシートのシート搬送方向の上流端を整合する整合手段を構成している。
【００２９】
シートが束状に積載される処理トレイ２０５のシート幅方向に一端に設けられた幅方向規制板２４３の傍には、後端と側端とを整合されたシート束を必要に応じて綴じるステープラ２５４が設けられている。
【００３０】
グリッパ２４１は、クランプソレノイド２４０がオフし、不図示のばねによって閉じてシート束を把持し、ＴＤモータ２１６と不図示のスライダギアによりシート排出方向へシート束と共に移動する。そして、グリッパ２４１は、把持を解除してシート束をトレイ１５４に排出するようになっている。
【００３１】
グリッパ２４１、クランプソレノイド２４０、ＴＤモータ２１６等は、処理トレイ２０５に積載されたシートを把持して、シート排出方向に移動し、把持を解除してシートを排出する排出手段を構成している。
【００３２】
処理ローラ２０４と処理ローラホルダ２１１の作動は、ＴＤモータ２１６の正転によって行われ、グリッパ２４１の移動は、ＴＤモータ２１６の逆転によって行われる。
【００３３】
トレイ紙押さえ２５１は、処理トレイ２０５上に整合されたシート束がグリッパ２４１によって、処理トレイ２０５上を滑ってトレイ１５４に排出されるまで、トレイ１５４上に先に積載されているシート束をトレイ１５４に押圧するようになっている。この押圧は、先に積載されているシート束が、後から排出されるシート束に追従して移動するのを防止して、先に積載されているシート束の位置ずれを防止するために行われる。
【００３４】
（制御ブロック図）
図４は、本実施形態のシート処理装置３００における制御部の構成を示すブロック図である。ＣＰＵ１００は、内部にＲＯＭ１１０を有している。ＲＯＭ１１０には、制御手順に対応するプログラム等が格納されている。ＣＰＵ１００は、このプログラムを読み出しながら各部の制御を行うようになっている。
【００３５】
ＣＰＵ１００は、作業用データや入力データが格納されたＲＡＭ１２１も有している。ＣＰＵ１００は、前述プログラム等に基づいてＲＡＭ１２１に収納されたデータを参照して制御を行うようになっている。さらに、ＣＰＵ１００の入力ポートには、入口センサ２０２（図２）、処理ローラ位置センサ、ＴＤスライダ位置センサが接続されている。
【００３６】
また、ＣＰＵ１００の出力ポートには、搬送モータ２０６、ＴＤモータ２１６、クランプソレノイド２４０、ステープラ２５４が接続されている。ＣＰＵ１００は、これらのセンサ状態に基づき、前述プログラム等にしたがって出力ポートに接続された各種モータ、ソレノイド等を制御するようになっている。
【００３７】
また、ＣＰＵ１００は、シリアルインターフェイス部（Ｉ／Ｏ）１３０を介して装置本体１５０Ａの制御部１４０と、制御データの授受を行うと共に、制御部１４０から送られてくる制御データを基にして各部の制御を行うようになっている。制御部１４０は、トナー像がシートの片面と両面とのいずれに形成されているかのトナー像形成面情報をシート処理装置の排出制御手段である例えばＣＰＵ１００に報せるトナー像形成面判定手段である例えばトナー像形成面判定部１４１を備えている。
【００３８】
ＣＰＵ１００は、グリッパ２４１のシート排出動作を制御するようになっている。ＣＰＵ１００は、後述する画像形成状態情報が、シート同士がトナー像によって接着しにくいという情報のとき、処理トレイ２０５にシートが束状に積載整合されてから、グリッパ２４１に該シート束を排出させる動作をさせるようになっている。また、ＣＰＵ１００は、画像形成状態情報が、シート同士がトナー像によって接着しやすいという情報のとき、処理トレイ２０５にシートが１枚積載される度に、グリッパ２４１に該１枚のシートを排出させる動作をさせるようになっている。
【００３９】
なお、ＣＰＵ１００と制御部１４０とは、いずれか一方が他方に組み込まれていて、一体化されていてもよい。
【００４０】
（動作説明）
画像形成装置の動作を、図１乃至３の構成図と、図４の制御部ブロック図と、図５のフローチャートとに基づいて説明する。
【００４１】
ＣＰＵ１００は、画像形成装置１５０の装置本体１５０Ａの制御部１４０から、シリアル通信によりシリアルインターフェイス部（Ｉ／Ｏ）１３０を介して、シートに関するシート情報を受ける。シート情報には、シートサイズ、ステープルするか否かの情報、画像形成状態情報である例えばトナー像が片面と両面とのいずれに形成されているかのトナー像形成面情報等がある。なお、ＣＰＵ１００は、制御部１４０からシート束を綴じるシート情報を受けていないものとする。このため、ステープラ２５４（図３）は、シート束を綴じる動作をしない。
【００４２】
装置本体１５０Ａから送られてきたシートは、搬送ローラ対２０３により処理トレイ２０５上に排出される（Ｓ５１０）。処理ローラ２０４と処理ローラホルダ２１１は、ＴＤモータ２１６と駆動力伝達機構２１７により、そのシートをシート排出方向に所定量送る（Ｓ５２０、Ｓ５３０）。
【００４３】
その後、処理ローラ２０４と処理ローラホルダ２１１は、後端規制板２４２にシートが突き当たるまで上流方向（矢印Ｄ方向）にシートを搬送し、シートの後端整合を行う。その後、処理ローラ２０４と処理ローラホルダ２１１は、ＴＤモータ２１６と駆動力伝達機構２１７により、幅方向規制板２４３にシートの側端が突き当たるまで図３の左方向（矢印Ｅ方向）にシートを移動させて、シートの側端整合を行う（Ｓ５４０）。なお、側端整合は、必ずしも行う必要がない。
【００４４】
その後、処理ローラホルダ２１１は、矢印Ａ方向に上昇し、処理ローラ２０４をシートから離し、処理ローラ２０４と処理ローラホルダ２１１は所定の位置に退避する。
【００４５】
整合された１枚のシートが、両面にトナー像が形成されているシートである場合（Ｓ５５０でＮＯ）、整合された後、後続シートが送り込まれてくるまでに、トレイ１５４に排出される。すなわち、グリッパ２４１は、クランプソレノイド２４０がオフになり、不図示のばねによって閉じて、シートを把持する。そして、グリッパ２４１は、ＴＤモータ２１６と不図示のスライダギアとによって、シート排出方向にシート束を把持したまま移動して、処理トレイ２０５の下流端まで移動すると、把持を解除してシートを放す。この結果、シートはトレイ１５４に落下して積載される（Ｓ５７０）。そして、ＣＰＵ１００は、ジョブの残りのシートが無くなるまで（Ｓ５８０でＮＯ）、以上の動作を繰り返す。
【００４６】
なお、トレイ１５４に積載されたシートは、トレイ１５４の傾斜によって、シート搬送方向の上流側に滑降して、シート処理装置の下流端部に形成された後端整合部である例えば後端規制壁１６０に受け止められ、後端を整合される。このため、シートは１枚ずつ排出されることがあっても、後端は整合される。後端規制壁１６０にシートの後端を整合できるのであれば、処理トレイ２０５上でシートの後端整合をする必要がないかもしれないが、トナー像によって接着するおそれのないシートをグリッパで１枚ずつ排出するのは、非能率的であり、また、動作音が問題になる。このため、トナー像によって接着するおそれのないシートは、処理トレイ２０５上で束状にしてから、グリッパ２４１で把持してまとめて排出して、排出効率を高め、かつ動作音の発生を少なくしている。トレイ１５４は、シート搬送方向の上流端が下流端よりも低く形成されて傾斜している。
【００４７】
整合された１枚目のシートが、片面にしかトナー像が形成されていないシートである場合（Ｓ５５０でＹＥＳ）、整合された後、後続のシートが積載される。積載される枚数は、あらかじめ設定されており、所定枚数（例えば、５枚。５枚に限定されない）積載されるまで、整合動作が繰り返される（Ｓ５６０、Ｓ５９０、Ｓ５１０〜Ｓ５５０）。
【００４８】
なお、処理トレイ２０５にシートが積載されるとき、処理トレイ２０５にすでに積載されている先行シートは、後から排出されてくる後続シートが重なるため、後続シートに追従して、シート排出方向に多少なりと移動して、後端整合が乱れるおそれがある。このため、後続シートが処理トレイ２０５上に排出されている間、先行シートは、シート排出方向に移動しないように、グリッパ２４１に把持されている。
【００４９】
あらかじめ定められた枚数（例えば、５枚）に達すると、クランプソレノイド２４０がオフになり、グリッパ２４１は、不図示のばねによって閉じて、シート束を把持する。そして、グリッパ２４１は、ＴＤモータ２１６と不図示のスライダギアとによって、シート排出方向にシート束を把持したまま移動して、処理トレイ２０５の下流端まで移動すると、把持を解除してシートを放す。この結果、シートはトレイ１５４に落下して積載される（Ｓ５７０）。ＣＰＵ１００は、１つのジョブの残りのシートが無くなるまで（Ｓ５８０でＮＯ）、以上の動作を繰り返す。
【００５０】
ただし、１つのジョブのシート枚数によっては、所定枚数毎に排出して、端数が出る場合がある。例えば、１つのジョブのシート枚数が１１枚の場合、５枚ずつ排出し、１枚が端数として残る。この場合、ＣＰＵ１００は、所定枚数（所定枚数未満）に達していなくても（Ｓ５６０でＮＯ，Ｓ５９０でＹＥＳ）、端数の１枚だけを排出して終了する（排出可能になっている。）（Ｓ５７０，Ｓ５８０でＮＯ）。
【００５１】
最後、ＣＰＵ１００は、グリッパ２４１がホームポジションに戻るまでＴＤモータ２１６を駆動し続けて、搬送モータ２０６を停止させる。これにより、シート処理装置３００は、一連の処理を終了したことになる。
【００５２】
したがって、画像形成装置は、両面にトナー像が形成されているシートの場合、１枚ずつ排出するようになっているので、シート同士の接着を防止することができる。このため、シートは、引き裂かれて分離されることがなく、シートの破損、トナー像の欠損が生じることがない。
【００５３】
以上の説明は、画像形成状態情報が、トナー像が片面と両面とのいずれに形成されているかのトナー像形成面情報の場合であり、トナー像が両面に形成されているシートは、１枚ずつトレイ１５４に排出され、片面のシートは、束状に排出されるようになっている。
【００５４】
しかし、制御部１４０のトナー像形成面判定部１４１の代わりに、シートに対するトナー像の印字率が所定の値以下か超えているかの印字率情報をシート処理装置のＣＰＵ１００に報せる印字率判定手段である例えば印字率判定部１４２を備えてもよい。
【００５５】
この場合、ＣＰＵ１００は、印字率が所定の値以下であるという印字率情報を得たとき、処理トレイ２０５に該シートを積載整合してから束状にしてトレイ１５４に排出する。また、ＣＰＵ１００は、印字率が所定の値を超えているという印字率情報を得たとき、処理トレイ２０５に該シートが１枚積載される度に、トレイ１５４に該１枚のシートを排出する。印字率は、シートに画像形成することができる領域（画像形成領域）に載ったトナーを平均化した値である。例えば、印字率１００％の場合、画像形成領域全体にトナー像が形成され、２５％の場合、画像形成領域の２５％にトナー像が形成されていることになる。また、カラー画像の場合、イエロ、シアン、マゼンタ、ブラックの４色を重ねるが、例えば、イエロが２５％、シアンが２５％、マゼンタが２５％、ブラックが２５％の場合は、都合１００％になる。
【００５６】
したがって、画像形成装置は、印字率が高く、シート同士が接着しやすいシートの場合、１枚ずつ排出するようになっているので、シート同士の接着を防止することができる。このため、シートは、引き裂かれて分離されることがなく、シートの破損、トナー像の欠損が生じることがない。
【００５７】
また、制御部のトナー像形成面判定部１４１の代わりに、シートのグリッパに把持される被把持部にトナー像が形成されているか否かの被把持部情報をシート処理装置のＣＰＵ１００に報せる被把持部判定手段である例えば被把持部判定部１４３を設けてもよい。
【００５８】
この場合、ＣＰＵ１００は、シートの被把持部にトナー像が形成されていないという被把持部情報を得たとき、処理トレイ２０５に該シートを束状に積載整合してから、トレイ１５４に排出する。また、ＣＰＵ１００は、被把持部にトナー像が形成されているという被把持部情報を得たとき、処理トレイ２０５に該シートが１枚積載される度に、トレイ１５４に該１枚のシートを排出する。
【００５９】
したがって、画像形成装置は、被把持部にトナー像が形成されて、グリッパによって把持されたとき、シート同士が接着しやすいシートの場合、１枚ずつ排出するようになっている。このため、シートは、引き裂かれて分離されることがなく、シートの破損、トナー像の欠損が生じることがない。
【００６０】
以上の説明において、画像形成状態情報としては、トナー像形成面情報、印字率情報、及び被把持部情報がある。これらの、情報は、トナー像形成面判定部１４１、印字率判定部１４２、及び被把持部判定部１４３から得られるようになっているが、各判定部は、画像処理部１４４から画像形成状態に関する情報を報されるようになっている。
【図面の簡単な説明】
【００６１】
【図１】本発明の実施形態における画像形成装置のシート搬送方向に沿った断面図である。
【図２】本発明の実施形態における画像形成装置に設けられたシート処理装置のシート搬送方向に沿った断面図である。
【図３】図２のシート処理装置をシート排出側から見た図である。
【図４】シート処理装置の制御ブロック図である。
【図５】束出し動作説明用のフローチャートである。
【符号の説明】
【００６２】
Ｓ      シート
１００      ＣＰＵ（排出制御手段）
１４０      制御部
１４１      トナー像形成面判定部（トナー像形成面判定手段）
１４２      印字率判定部（印字率判定手段）
１４３      被把持部判定部（被把持部判定手段）
１４４      画像処理部
１５０      画像形成装置
１５０Ａ    装置本体
１５３      排紙ローラ対（排出手段）
１５４      トレイ（排出シート積載手段）
１６０      トレイの後端規制壁(後端整合部）
２０４      処理ローラ（整合手段）
２０５      処理トレイ（積載手段）
２１１      処理ローラホルダ（整合手段）
２１６      ＴＤモータ（整合手段）（排出手段）
２１７      駆動力伝達機構（整合手段）
２４０      クランプソレノイド（排出手段）
２４１      グリッパ（排出手段）
２４２      後端規制板（整合手段）
２４３      幅方向規制板
２６４      感光ドラム（画像形成手段）
２６６      定着器
３００      シート処理装置
【図１】
0004982311.tif 000002
【図２】
0004982311.tif 000003
【図３】
0004982311.tif 000004
【図４】
0004982311.tif 000005
【図５】
0004982311.tif 000006